(57)【要約】【課題】専門的な鑑別方法を知らない一般の人でも、国内海外、場所、時間を問わず容易に多種多様な紙葉類の真偽を鑑別可能として、これにより、偽造紙幣の流通を防止すると共に、個人の被る被害を防ぐようにする。【解決手段】携帯可能な紙幣真偽鑑別機能付き携帯端末１ａにおいて、紫外線を照射する紫外線照射手段１０ａと、この紫外線照射手段１０ａの照射を行って紙幣の真偽を鑑別する方法を利用者に通知する通知手段１１ａとを具え、利用者が上記通知手段１１ａにより通知された方法に基づいて紫外線照射手段１０ａの照射を行なうことにより、紙幣の真偽を鑑別可能とする。【選択図】　図１
2004054758.tif 000002
【特許請求の範囲】
【請求項１】
鑑別対象紙葉類の特徴部分を検知するための検知手段を携帯電話端末に搭載し、
前記検知手段を用いて当該鑑別対象紙葉類の特徴部分を検知し、
前記検知手段による検知結果に基づき当該鑑別対象紙葉類の鑑別を行う
ことを特徴とする紙葉類鑑別方法。
【請求項２】
前記検知手段は、
前記鑑別対象紙葉類に対応する正規の紙葉類に使用される特定のインクに吸収帯を有する波長の紫外線を照射する紫外線照射手段
を具備し、
前記紫外線照射手段により前記鑑別対象紙葉類の特定の領域に紫外線を照射し、
該紫外線を照射した当該鑑別対象紙葉類の特定の領域の色の変化に基づき該鑑別対象紙葉類の鑑別を行う
ことを特徴とする請求項１記載の紙葉類鑑別方法。
【請求項３】
前記検知手段は、
前記鑑別対象紙葉類の画像を撮像する撮像手段
を具備し、
前記撮像手段で撮像された画像から当該鑑別対象紙葉類の特徴情報を抽出し、
該抽出した当該鑑別対象紙葉類の特徴情報と対応する正規の紙葉類の特徴情報とを比較することで前記鑑別対象紙葉類の鑑別を行う
ことを特徴とする請求項１記載の紙葉類鑑別方法。
【請求項４】
前記正規の紙葉類の特徴情報は、前記携帯電話端末の記憶手段に予め記憶されている
ことを特徴とする請求項３記載の紙葉類鑑別方法。
【請求項５】
前記正規の紙葉類の特徴情報は、前記携帯電話端末の通信機能を用いて外部から取得する
ことを特徴とする請求項３記載の紙葉類鑑別方法。
【請求項６】
前記撮像手段で撮像された画像を通信機能を用いて紙葉類鑑別センタ装置に送信し、
前記紙葉類鑑別センタ装置は、受信した画像から当該鑑定対象紙葉類の特徴情報を抽出し、該抽出した当該鑑別対象紙葉類の特徴情報と対応する正規の紙葉類の特徴情報とを比較することで当該鑑別対象紙葉類の鑑別を行い、
前記携帯電話端末は、前記紙葉類鑑別センタ装置から当該鑑別結果を受信することにより前記鑑別対象紙葉類の鑑別を行う
ことを特徴とする請求項３記載の紙葉類鑑別方法。
【請求項７】
携帯電話端末に搭載され、鑑別対象紙葉類の特徴部分を検知するための検知手段と、
前記検知手段による検知結果に基づき当該鑑別対象紙葉類を鑑別する鑑別手段と
を具備することを特徴とする紙葉類鑑別装置。
【請求項８】
前記検知手段は、
前記鑑別対象紙葉類に対応する正規の紙葉類に使用される特定のインクに吸収帯を有する波長の紫外線を照射する紫外線照射手段
を具備し、
前記鑑別手段は、
前記紫外線照射手段により紫外線を照射した前記鑑別対象紙葉類の特定の領域の色の変化に基づき該鑑別対象紙葉類を鑑別する
ことを特徴とする請求項７記載の紙葉類鑑別装置。
【請求項９】
前記検知手段は、
前記鑑別対象紙葉類の画像を撮像する撮像手段
を具備し、
前記鑑別手段は、
前記撮像手段で撮像された画像から当該鑑別対象紙葉類の特徴情報を抽出する抽出手段と、
前記抽出手段で抽出した当該鑑別対象紙葉類の特徴情報と対応する正規の紙葉類の特徴情報とを比較する比較手段と
を具備し、前記比較手段の比較結果に基づき当該鑑別対象紙葉類の鑑別を行う
ことを特徴とする請求項７記載の紙葉類鑑別装置。
【請求項１０】
前記鑑別手段は、
前記携帯電話端末に設けられ、前記正規の紙葉類の特徴情報を記憶する記憶手段
を更に具備することを特徴とする請求項９記載の紙葉類鑑別装置。
【請求項１１】
前記鑑別手段は、
前記携帯電話端末に設けられ、該携帯電話端末の通信機能を用いて前記正規の紙葉類の特徴情報を外部から取得する取得手段
を更に具備することを特徴とする請求項９記載の紙葉類鑑別装置。
【請求項１２】
前記検知手段は、
前記鑑別対象紙葉類の画像を撮像する撮像手段
を具備し、
前記鑑別手段は、
前記撮像手段で撮像された画像を前記携帯電話機の通信機能を用いて紙葉類鑑別センタ装置に送信する送信手段と、
前記紙葉類鑑別センタ装置で当該送信された画像に鑑別された当該鑑別対象紙葉類の鑑別結果を受信する受信手段と
を具備し、前記受信手段により受信した鑑別結果に基づき当該鑑別対象紙葉類の鑑別を行う
ことを特徴とする請求項７記載の紙葉類鑑別装置。
【発明の詳細な説明】
【０００１】
【発明の属する技術分野】
本発明は、紙葉類鑑別方法および装置に関し、特に、専門的な鑑別方法を知らない一般の人でも、国内海外、場所、時間を問わず容易に多種多様な紙葉類の真偽の鑑別を可能として、これにより、偽造紙幣の流通を防止すると共に、個人の被る被害を防ぐことを可能にした紙葉類鑑別方法および装置に関する。
【０００２】
【従来の技術】
従来、紙幣等の鑑別装置は、銀行や店舗等に据え置き型で設置されて利用されるケースが殆どである。
【０００３】
このように、従来では、個人で紙幣等の鑑別を行うツールが無いのが現状である。また、一般的に、個人は紙幣を鑑別するための知識を持っていないのが現状である。
【０００４】
このため、例えば、従来では、両替や釣銭等で様々な場所で入手した紙幣を鑑別装置を介さず後で個人が利用しようとした場合、店頭等で偽札であることが発覚すると、当該紙幣の利用を拒否される虞がある。
【０００５】
【発明が解決しようとする課題】
上述の如く、従来では、個人で簡単に紙幣の真偽を鑑別するツールが無く、また、個人が紙幣を鑑別するための知識を持っていない為、例えば、両替や釣銭等で様々な場所で入手した紙幣を鑑別装置を介さず後で個人が利用しようとした場合、店頭等で偽札であることが発覚すると当該紙幣の利用を拒否されるケースがあった。
【０００６】
そこで、本発明は、専門的な鑑別方法を知らない一般の人誰でも、国内海外、場所、時間を問わず容易に多種多様な紙葉類等の真偽を鑑別可能として、これにより、偽造紙幣の流通を防止すると共に、個人の被る被害を防ぐことが可能な紙葉類鑑別方法および装置を提供することを目的とする。
【０００７】
【課題を解決するための手段】
上記目的を達成するために、請求項１の発明は、鑑別対象紙葉類の特徴部分を検知するための検知手段を携帯電話端末に搭載し、前記検知手段を用いて当該鑑別対象紙葉類の特徴部分を検知し、前記検知手段による検知結果に基づき当該鑑別対象紙葉類の鑑別を行うことを特徴とする。
【０００８】
また、請求項２の発明は、請求項１の発明において、前記検知手段は、前記鑑別対象紙葉類に対応する正規の紙葉類に使用される特定のインクに吸収帯を有する波長の紫外線を照射する紫外線照射手段を具備し、前記紫外線照射手段により前記鑑別対象紙葉類の特定の領域に紫外線を照射し、該紫外線を照射した当該鑑別対象紙葉類の特定の領域の色の変化に基づき該鑑別対象紙葉類の鑑別を行うことを特徴とする。
【０００９】
また、請求項３の発明は、請求項１の発明において、前記検知手段は、前記鑑別対象紙葉類の画像を撮像する撮像手段を具備し、前記撮像手段で撮像された画像から当該鑑別対象紙葉類の特徴情報を抽出し、該抽出した当該鑑別対象紙葉類の特徴情報と対応する正規の紙葉類の特徴情報とを比較することで前記鑑別対象紙葉類の鑑別を行うことを特徴とする。
【００１０】
また、請求項４の発明は、請求項３の発明において、前記正規の紙葉類の特徴情報は、前記携帯電話端末の記憶手段に予め記憶されていることを特徴とする。
【００１１】
また、請求項５の発明は、請求項３の発明において、前記正規の紙葉類の特徴情報は、前記携帯電話端末の通信機能を用いて外部から取得することを特徴とする。
【００１２】
また、請求項６の発明は、請求項３の発明において、前記撮像手段で撮像された画像を通信機能を用いて紙葉類鑑別センタ装置に送信し、前記紙葉類鑑別センタ装置は、受信した画像から当該鑑定対象紙葉類の特徴情報を抽出し、該抽出した当該鑑別対象紙葉類の特徴情報と対応する正規の紙葉類の特徴情報とを比較することで当該鑑別対象紙葉類の鑑別を行い、前記携帯電話端末は、前記紙葉類鑑別センタ装置から当該鑑別結果を受信することにより前記鑑別対象紙葉類の鑑別を行うことを特徴とする。
【００１３】
また、請求項７の発明は、携帯電話端末に搭載され、鑑別対象紙葉類の特徴部分を検知するための検知手段と、前記検知手段による検知結果に基づき当該鑑別対象紙葉類を鑑別する鑑別手段とを具備することを特徴とする。
【００１４】
また、請求項８の発明は、請求項７の発明において、前記検知手段は、前記鑑別対象紙葉類に対応する正規の紙葉類に使用される特定のインクに吸収帯を有する波長の紫外線を照射する紫外線照射手段を具備し、前記鑑別手段は、前記紫外線照射手段により紫外線を照射した前記鑑別対象紙葉類の特定の領域の色の変化に基づき該鑑別対象紙葉類を鑑別することを特徴とする。
【００１５】
また、請求項９の発明は、請求項７の発明において、前記検知手段は、前記鑑別対象紙葉類の画像を撮像する撮像手段を具備し、前記鑑別手段は、前記撮像手段で撮像された画像から当該鑑別対象紙葉類の特徴情報を抽出する抽出手段と、前記抽出手段で抽出した当該鑑別対象紙葉類の特徴情報と対応する正規の紙葉類の特徴情報とを比較する比較手段とを具備し、前記比較手段の比較結果に基づき当該鑑別対象紙葉類の鑑別を行うことを特徴とする。
【００１６】
また、請求項１０の発明は、請求項９の発明において、前記鑑別手段は、前記携帯電話端末に設けられ、前記正規の紙葉類の特徴情報を記憶する記憶手段を更に具備することを特徴とする。
【００１７】
また、請求項１１の発明は、請求項９の発明において、前記鑑別手段は、前記携帯電話端末に設けられ、該携帯電話端末の通信機能を用いて前記正規の紙葉類の特徴情報を外部から取得する取得手段を更に具備することを特徴とする。
【００１８】
また、請求項１２の発明は、請求項７の発明において、前記検知手段は、前記鑑別対象紙葉類の画像を撮像する撮像手段を具備し、前記鑑別手段は、前記撮像手段で撮像された画像を前記携帯電話機の通信機能を用いて紙葉類鑑別センタ装置に送信する送信手段と、前記紙葉類鑑別センタ装置で当該送信された画像に鑑別された当該鑑別対象紙葉類の鑑別結果を受信する受信手段とを具備し、前記受信手段により受信した鑑別結果に基づき当該鑑別対象紙葉類の鑑別を行うことを特徴とする。
【００１９】
【発明の実施の形態】
まず、本発明の概要について述べる。
【００２０】
本発明は、携帯端末に具わる紫外線を照射する紫外線照射手段（ＬＥＤ：発光体ダイオード等）を用い、当該真偽鑑別対象の紙幣、チケット、商品券、小切手、カード、証券、債権等の紙葉類（以下、単に「紙幣」という。）に対し紫外線を照射することにより、紙幣の真偽を鑑別するものである。
【００２１】
また、本発明は、携帯端末に具わる紙幣の画像を入力する入力手段（ディジタルカメラ等）を用い、当該真偽鑑別対象の紙幣の画像を入力し、予め用意されている真の紙幣の基準画像データと比較することにより、紙幣の真偽を鑑別するものである。
【００２２】
更に、本発明は、上記携帯端末に具わる紫外線照射手段及び入力手段の両者を用いて紙幣の真偽を鑑別するものである。
【００２３】
以下、本発明の実施形態について添付図面を参照して詳細に説明する。尚、以下の実施例では、鑑別対象紙葉類として、紙幣を例にした場合について説明する。
【００２４】
まず、第１の実施例として、上述した紫外線照射手段（ＬＥＤ）を用いて紙幣の真偽を鑑別する場合について説明する。
【００２５】
図１は、本発明に係わる紫外線照射手段を用いて紙幣の真偽を鑑別することが可能な紙幣真偽鑑別機能付き携帯端末を携帯電話機に適用した場合の、紙幣鑑別の様子を示す概念図である。
【００２６】
図１に示すように、この携帯電話機１ａは、紙幣Ａの真偽を鑑別する為に、正規の紙幣に使用される特定のインクに吸収帯を有する波長の紫外線を照射する発光体ダイオード等の紫外線照射手段１０ａと、この紫外線照射手段を用いて、紫外線の照射による紙幣の特定の領域の色の変化に基づき紙幣Ａの真偽を鑑別する方法を表示（ディスプレイ上に予め用意されている文字や絵情報等を表示）や音声（スピーカ等を介して予め用意された音声情報を発声）にて通知する紙幣真偽鑑別方法通知手段１１ａとを具える。
【００２７】
そして、利用者は、この携帯電話機１ａを用いて紙幣の真偽を鑑別する場合、上記紙幣真偽鑑別方法通知手段１１ａにより通知された鑑別方法に基づいて、所定の印刷箇所に上記紫外線照射手段１０ａによる照射を行なうことにより、紙幣Ａの真偽を鑑別することができる。
【００２８】
図２は、上記図１に示した携帯電話機１ａのシステム構成を示す機能ブロック図である。
【００２９】
図２に示すように、この携帯電話機１ａは、ＣＰＵ（主制御部）１０１ａと、表示部１０２ａと、操作部１０３ａと、無線通信部１０４ａと、記憶部１０５ａと、通話部１０６ａと、電源部１０７ａと、紙幣真偽鑑別方法通知部１０８ａと、紫外線照射部（ＬＥＤ）１０９ａとを具えて構成される。
【００３０】
ここで、ＣＰＵ（主制御部）１０１ａは、この携帯電話機１ａを統括的に制御し、他の構成要素部分を制御する。特に、本発明では、後述の記憶部１０４ａ等に記憶されている紙幣真偽鑑別処理の制御プログラム等を読み出し、紙幣真偽鑑別処理に係わる処理動作を制御する。具体的には、利用者の操作に基づき、該利用者に対して紙幣Ａの真偽を鑑別する方法を表示部１０２ａ或いは通話部１０６ａに具わるスピーカ等を用いて表示や音声にて通知する処理を行うと共に、紫外線照射部（ＬＥＤ）１０８ａの処理動作を制御する。
【００３１】
表示部１０２ａは、例えば、ディスプレイ等であり、この携帯電話機１ａで取り扱われる各種情報を表示する。特に、本発明では、上述した紙幣Ａの真偽を鑑別する方法を表示する（図４参照）。具体的に、利用者に通知される鑑別方法とは、真偽対象紙幣の所定印刷箇所（印鑑印刷部分）に紫外線を照射し、該印鑑印刷部分が発光するかしないかの発光の有無（発光有り：真、発光無し：偽）により紙幣の真偽を鑑別する方法であり、その方法を利用者に把握させる為の情報が表示部１０２ａに表示される。
【００３２】
操作部１０３ａは、例えば、キーボード等であり、この携帯電話機１ａで採用されている各種機能を指定する機能キーや、電話番号等を入力指示する為のテンキー等を具える。特に、本発明では、利用者がこの携帯電話機１ａを用いて紙幣Ａの真偽を鑑別する際に、上記表示部１０２ａにて紙幣Ａの真偽の鑑別方法を表示する、或いは紫外線を照射する場合に用いられる。
【００３３】
記憶部１０４ａは、例えば、ＲＯＭやＲＡＭを具え、この携帯電話機１ａの制御プログラムや各種データ等を記憶する。尚、この実施例では、表示部１０２ａや、通話部１０６ａに具わるスピーカを用いて利用者に紙幣Ａの真偽の鑑別方法を通知するのに必要な情報（操作手順情報や最新紙幣のチェックポイント等を示す情報など）や、紙幣真偽鑑別処理に係わる制御プログラム等を記憶する。
【００３４】
尚、上記操作手順情報や最新紙幣のチェックポイント等の真偽鑑別を通知するのに必要な情報及び上記制御プログラム等は、通信により所定のセンタに設置されたサーバ等の情報格納装置から取得するようにしても良い。
【００３５】
また、例えば、上記最新紙幣のチェックポイント等の真偽鑑別を通知するのに必要な情報は、予め携帯電話機を販売提供する場合に記憶しておく。そして、利用者がその携帯電話機を用いて真偽鑑別処理する際に、該携帯電話機が自動的に所定のサーバにアクセスし、自己の保持する紙幣情報が最新紙幣の情報であればそのまま自己の保持している情報を用いて真偽鑑別処理動作を行い、他方、最新紙幣の情報でなければ該サーバから最新の情報をダウンロードするようにしても良い。更に、利用者が要求する場合に手動にて最新の紙幣情報をダウンロードするようにしても良い。
【００３６】
無線通信部１０４ａは、この携帯電話機１ａの無線通信に関わる一連の処理動作を行なう。具体的には、図示しない変復調処理部、無線アクセス処理部、音声処理部等を具え、所定の変復調処理、所定の無線アクセス／伝送処理、音声信号の圧縮符号化処理等を行う。
【００３７】
通話部１０６ａは、例えば、マイクやスピーカを具え、電話通信における送話や受話を行う。特に、本発明では、スピーカを介し、利用者に紙幣の真偽鑑別処理に係わる一連の情報を音声にて通知する。
【００３８】
電源部１０７ａは、この携帯電話機１を動作させるのに必要な電力を供給する。具体的には、充電式の蓄電池等で構成される。
【００３９】
紫外線照射部（ＬＥＤ）１０８ａは、例えば、紫外線発光体ダイオード（ＬＥＤ）であり、利用者の操作に基づき正規の紙幣に使用される特定のインクに吸収帯を有する紫外線を照射する。
【００４０】
尚、上記実施例では、携帯電話機内蔵型で電話機能に関する情報を記憶する記憶部に、本発明に係わる紙幣真偽鑑別方法を通知する為の情報を記憶するようにしているが、本発明は、これに限らず、別の記憶手段を設け、そこに記憶するようにしても良い。また、別に記憶手段を設ける場合には、その記憶手段を着脱可能にしても良く、具体的には、メモリスティック等で実現する。
【００４１】
また、上記実施例では、紫外線発光体ダイオード（ＬＥＤ）を携帯電話機と一体型に形成した場合を示しているが、本発明は、これに限らず、所定の接続手段（アダプタ等）を介して該携帯電話機の外部に取り付ける外部接続型にしても良い。
【００４２】
図３は、上記図１及び図２に示した携帯電話機１ａを用いて紙幣の真偽の鑑別を行なう場合の処理の流れを示すフローチャートである。
【００４３】
図３において、この紙幣鑑別処理では、まず、利用者の操作に基づき、該利用者に対して紙幣真偽鑑別方法が通知される。そして、この通知により利用者が鑑別方法を把握する（ステップＳ１０１）。具体的には、例えば、利用者の所定の操作（専用ボタンの押下、各種機能を選択するメニュー項目内でのカーソル選択操作など）に基づき、図４（ａ）に示す真偽鑑別対象紙幣の種別選択画面が表示部に表示される。そして、図４（ａ）および図４（ｂ）画面で、利用者が真偽鑑別対象の紙幣（国、金額種別など）を選択すると、次いで、同図４（ｃ）に示す紙幣鑑別処理方法を通知する画面が表示部に表示される。この画面により、利用者は、真偽を鑑別したい紙幣Ａに対し、紫外線を照射し、発光の有無（発光有り：真、発光無し：偽）を調べることにより真偽を鑑別可能であることを把握する。
【００４４】
利用者が鑑別方法を把握すると、次いで、利用者の操作に基づき、当該真偽鑑別対象の紙幣に紫外線が照射される（ステップＳ１０２）。
【００４５】
これにより、利用者が、上記ステップＳ１０１にて把握した鑑別方法及び　　上記ステップＳ１０２の照射による当該紙幣の発光の有無状態に従って紙幣の真偽を鑑別する（ステップＳ１０３）。そして、この処理が終了する。
【００４６】
このような構成の携帯端末を提供することにより、専門的な鑑別方法を知らない一般の人誰でもが、国内海外、場所、時間を問わず容易に多種多様な紙葉類等の鑑別を行うことができる。これにより、偽造紙幣の流通を抑制し、紙幣を利用する者の被害を防ぐことができる。また、上述のような紫外線照射手段を用いることにより、利用者は暗闇でも容易に紙幣の真偽鑑別を行うことができる。
【００４７】
次に、第２の実施例として、上述の入力手段を用いて紙幣の真偽を鑑別する場合について説明する。
【００４８】
まず、最初に、１）携帯電話機にて真偽の鑑別を行う場合について説明する。
【００４９】
図５は、本発明に係わる入力手段を用いて紙幣の真偽を鑑別可能な紙幣真偽鑑別機能付き携帯端末を携帯電話機に適用した場合の、紙幣の真偽鑑別方法の様子を示す図である。
【００５０】
図５に示すように、この携帯電話機１ｂは、紙幣の真偽Ａを鑑別する為に紙幣Ａの画像を入力する入力手段（ディジタルカメラ等）１０ｂと、この入力手段を用いて紙幣の真偽を鑑別する方法を、予め登録された文字や絵などの表示情報を表示部（ディスプレイ）に表示したり、或いは登録された音声をスピーカにて発声して通知する紙幣真偽鑑別方法通知手段１１ｂとを具える。
【００５１】
そして、利用者は、この携帯電話機１ｂを用いて紙幣Ａの真偽を鑑別する場合、上記紙幣真偽鑑別方法通知手段１１ｂにより通知された鑑別方法に基づいて、上記入力手段１０ｂにて紙幣の画像を入力し、携帯電話機１ｂ内部で真偽鑑別処理を行わせることにより、当該紙幣の真偽を鑑別することができる。
【００５２】
図６は、上記図４に示した携帯電話機１ｂのシステム構成を示す機能ブロック図である。
【００５３】
図６に示すように、この携帯電話機１ｂは、ＣＰＵ（主制御部）１０１ｂと、表示部１０２ｂと、操作部１０３ｂと、記憶部１０４ｂと、無線通信部１０５ｂと、通話部１０６ｂと、電源部１０７ｂと、紙幣画像入力部１０９とを具えて構成される。
【００５４】
ここで、ＣＰＵ（主制御部）１０１ｂは、この携帯電話機１ｂを統括的に制御し、他の構成要素部分を制御する。特に、本発明では、後述の記憶部１０４ｂ等に記憶されている紙幣真偽鑑別処理の制御プログラム等を読み出し、紙幣真偽鑑別処理に係わる処理動作を制御する。具体的には、利用者の操作に基づき、該利用者に対して紙幣Ａの真偽を鑑別する方法を表示部１０２ｂ或いは通話部１０６ｂに具わるスピーカ等を用いて表示や音声にて通知する処理を行う。また、紙幣画像入力部１０９ｂの処理動作を制御し、該紙幣画像入力部１０９ｂにて入力された画像データと予め用意されている真の紙幣を示す基準画像データ（後述の正規の紙幣の特徴情報を含む）とを比較して印刷形状が一致するか否かにより当該紙幣の真偽を鑑別する処理を行う（具体的には、撮像入力された画像から当該鑑別対象紙幣の特徴情報を抽出し、この抽出した当該鑑別対象紙幣の特徴情報と対応する正規の紙幣の特徴情報とを比較することにより鑑別対象紙幣の真偽を判別する）。また鑑別結果を利用者に表示や音声にて通知する処理を行う。
【００５５】
表示部１０２ｂは、例えば、ディスプレイ等であり、この携帯電話機１ｂで取り扱われる各種情報を表示する。特に、本発明では、上述した紙幣Ａの真偽を鑑別する方法や紙幣の真偽鑑別結果を利用者に通知する為の情報を表示する（図８乃至図１０参照）。具体的に、利用者に通知される紙幣真偽の鑑別方法とは、真偽対象紙幣の全体或いは所定印刷箇所をディジタルカメラにより撮影し、これにより入力した画像データと予め記憶されている真の紙幣を示す基準画像データとを比較し、印刷形状の一致／不一致（一致：真、不一致：偽）により紙幣の真偽を鑑別する方法であり、その方法を利用者に把握させる為の情報が表示部１０２ｂに表示される。
【００５６】
操作部１０３ｂは、例えば、キーボード等であり、この携帯電話機１ｂで採用されている各種機能を指定する機能キーや、電話番号等を入力指示する為のテンキー等を具える。特に、本発明では、利用者がこの携帯電話着１ｂを用いて紙幣Ａの真偽を鑑別する際に、上記表示部１０２ｂにて紙幣Ａの真偽の鑑別方法や鑑別結果を表示する、或いは後述の紙幣画像入力部１０９ｂにより当該真偽鑑別対象の紙幣の画像を入力する場合に用いられる。
【００５７】
記憶部１０４ｂは、例えば、ＲＯＭやＲＡＭを具え、この携帯電話機１の制御プログラムや各種データ等を記憶する。尚、この実施例では、表示部１０２ａや、通話部１０６ａに具わるスピーカを用いて利用者に紙幣Ａの真偽の鑑別方法を通知するのに必要な情報（操作手順情報や最新紙幣の画像入力箇所を示す情報など）や最新紙幣の真紙幣を示す基準画像データと、紙幣真偽鑑別処理に係わる制御プログラム等を記憶する。
【００５８】
尚、上記操作手順情報、最新紙幣の画像入力箇所を示す情報等の真偽鑑別を通知するのに必要な情報、最新紙幣の基準画像データ、制御プログラム等は、通信により所定のセンタに設置されたサーバ等の情報格納装置から取得するようにしても良い。
【００５９】
また、例えば、上記最新紙幣の画像入力箇所を示す情報及び最新紙幣の基準画像データは、予め携帯電話機を販売提供する場合に記憶しておく。そして、利用者がその携帯電話機を用いて真偽鑑別処理する際に、該携帯電話機が自動的に所定のサーバにアクセスし、自己の保持する紙幣情報が最新紙幣の情報であればそのまま自己の保持している情報を用いて真偽鑑別処理動作を行い、他方、最新紙幣の情報でなければ該サーバから最新の情報をダウンロードするようにしても良い。更に、利用者が要求する場合に手動にて最新の紙幣情報をダウンロードするようにしても良い。
【００６０】
無線通信部１０５ｂは、この携帯電話機１ｂの無線通信に関わる一連の処理動作を行なう。具体的には、図示しない変復調処理部、無線アクセス処理部、音声処理部等を具え、所定の変復調処理、所定の無線アクセス／伝送処理、音声信号の圧縮符号化処理等を行う。
【００６１】
通話部１０６ｂは、例えば、マイクやスピーカを具え、電話通信における送話や受話を行う。特に、本発明では、スピーカを介し、利用者に紙幣の真偽鑑別処理に係わる一連の情報を音声にて通知する。
【００６２】
電源部１０７ｂは、この携帯電話機１を動作させるのに必要な電力を供給する。具体的には、充電式の蓄電池等で構成される。
【００６３】
紙幣画像入力部１０８ｂは、例えば、ディジタルカメラで構成され、当該紙幣の真偽を鑑別する対象の紙幣の画像を入力するものである。尚、ディジタルカメラ以外にもスキャナ等で紙幣の画像を入力するようにしても良い。
【００６４】
尚、上記実施例では、携帯電話機内蔵型で電話機能に関する情報を記憶する記憶部に、本発明に係わる紙幣真偽鑑別方法を通知する為の情報を記憶するようにしているが、本発明は、これに限らず、別の記憶手段を設け、そこに記憶するようにしても良い。また、別に記憶手段を設ける場合には、その記憶手段を着脱可能にしても良く、具体的には、メモリスティック等で実現する。
【００６５】
また、上記実施例では、紙幣画像入力部（ディジタルカメラ）を携帯電話機と一体型に形成した場合を示しているが、本発明は、これに限らず、所定の接続手段（アダプタ等）を介して該携帯電話機の外部に取り付ける外部接続型にしても良い。
【００６６】
図７は、上記図４及び図５に示した携帯電話機１ｂを用いて紙幣Ａの真偽の鑑別を行なう場合の処理の流れを示すフローチャートである。
【００６７】
図７において、この紙幣鑑別処理では、まず、利用者の操作に基づき、該利用者に対して紙幣真偽鑑別方法が通知される。そして、この通知により利用者が鑑別方法を把握する（ステップＳ２０１）。具体的には、例えば、利用者の所定の操作（専用ボタンの押下、各種機能を選択するメニュー項目内でのカーソル選択操作など）に基づき、図８（ａ）に示す真偽鑑別対象紙幣の種別選択画面が表示部に表示される。そして、図８（ａ）および図８（ｂ）画面で、利用者が真偽鑑別対象の紙幣（国、金額種別など）を選択すると、次いで、同図８（ｃ）に示す紙幣鑑別処理方法を通知する画面が表示部に表示される。この画面により、利用者は、真偽を鑑別したい紙幣Ａの画像をディジタルカメラにより入力し、該入力した画像データと予め用意されている真紙幣を示す基準画像データとが比較され、印刷形状が一致するか否かにより真偽を鑑別することができることを把握する。
【００６８】
利用者が鑑別方法を把握すると、次いで、利用者の操作に基づき、当該真偽鑑別対象の紙幣の画像データがディジタルカメラにより入力される（ステップＳ２０２）。
【００６９】
すると、携帯電話機１ｂでは、入力された画像データと予め用意されている基準画像データとの比較が行われ、印刷形状が一致するか否かにより真偽の鑑別が行われる（ステップＳ２０３）。具体的には、撮像入力された画像から当該鑑別対象紙幣の特徴情報を抽出し、この抽出した当該鑑別対象紙幣の特徴情報と対応する正規の紙幣の特徴情報とを比較することにより鑑別対象紙幣の真偽を判別する。尚、この真偽鑑別中には、例えば、図９に示すような紙幣真偽鑑別処理中画面が表示部に表示される。
【００７０】
その後、鑑別結果（真ｏｒ偽）が利用者に対して通知される（ステップＳ２０４）。具体的には、図１０に示す鑑別結果通知画面が表示部に表示され、これにより利用者は紙幣の真偽を確認することができる。尚、図１０（ａ）が、鑑別の結果、当該真偽鑑別対象の紙幣が真札であった場合の表示例を示し、他方、図１０（ｂ）が、偽札であった場合の表示例を示している。
【００７１】
そして、この処理が終了される。
【００７２】
次に、２）サーバにて真偽の鑑別を行う場合について説明する。
【００７３】
尚、この場合、上記図６に示した構成において、ＣＰＵ（主制御部）１０１ｂの処理制御プログラムを変更すると共に、記憶部１０４ｂに最新の基準画像データを記憶しない構成とすれば良いので、ここでは構成図は省略する。
【００７４】
即ち、ＣＰＵ（主制御部）１０１ｂは、記憶部１０４ｂ等に記憶されている紙幣真偽鑑別処理の制御プログラム等を読み出し、紙幣真偽鑑別処理に係わる処理動作を制御する。具体的には、利用者の操作に基づき、該利用者に対して紙幣Ａの真偽を鑑別する方法を表示部１０２ｂ或いは通話部１０６ｂに具わるスピーカ等を用いて表示や音声にて通知する処理を行う。また、紙幣画像入力部１０９ｂの動作を制御し、該紙幣画像入力部１０９ｂにて入力された画像データを無線通信部を用いて所定のサーバに対して送信する処理を行う。そして、この画像データの送信後、該サーバからの紙幣鑑別結果を受信する処理を行い、鑑別結果受信後、利用者に表示や音声にて鑑別結果を通知する処理を行う。
【００７５】
図１１は、サーバにて真偽を鑑別する場合の処理の流れを示すフローチャートである。
【００７６】
図１１において、この紙幣鑑別処理では、まず、利用者の操作に基づき、該利用者に対して紙幣真偽鑑別方法が通知される。そして、この通知により利用者が鑑別方法を把握する（ステップＳ３０１）。具体的には、例えば、利用者の所定の操作（専用ボタンの押下、各種機能を選択するメニュー項目内でのカーソル選択操作など）に基づき、図１２（ａ）に示す真偽鑑別対象紙幣の種別選択画面が表示部に表示される。そして、図１２（ａ）および図１２（ｂ）画面で、利用者が真偽鑑別対象の紙幣（国、金額種別など）を選択すると、次いで、同図１２（ｃ）に示す紙幣鑑別処理方法を通知する画面が表示部に表示される。この画面により、利用者は、真偽を鑑別したい紙幣Ａの画像をディジタルカメラにより入力し、該入力した画像データを所定のサーバに送信し、該サーバにて予め用意されている真紙幣を示す基準画像データとの比較が行われて印刷形状が一致するか否かにより真偽が鑑別され、鑑別結果を受信することにより真偽鑑別を行えることを把握する。
【００７７】
利用者が鑑別方法を把握すると、次いで、利用者の操作に基づき、当該真偽鑑別対象の紙幣の画像データがディジタルカメラにより入力される（ステップＳ３０２）。
【００７８】
すると、携帯電話機１ｂでは、入力された画像データが予め設定されている宛先情報に基づいて所定のサーバ３に送信処理される。これにより、該サーバ３にて紙幣の真偽鑑別が行われる（ステップＳ３０３）。具体的にサーバ３では、携帯電話機にて撮像入力され、該携帯電話機から送信されてきた画像から当該鑑別対象紙幣の特徴情報を抽出し、この抽出した当該鑑別対象紙幣の特徴情報と対応する正規の紙幣の特徴情報とを比較することにより鑑別対象紙幣の真偽を判別する。尚、このサーバにて紙幣の真偽鑑別中には、例えば、上述の図９に示したような紙幣真偽鑑別処理中画面が表示部に表示される。
【００７９】
その後、携帯電話機１ｂでは、該サーバ３から真偽鑑別結果を受信し、利用者に対して鑑別結果（真ｏｒ偽）が通知される（ステップＳ３０４）。具体的には、図１０に示す鑑別結果通知画面が表示部に表示され、これにより利用者は紙幣の真偽を確認することができる。
【００８０】
そして、この処理が終了される。
【００８１】
次に、上述した１）携帯電話機にて真偽の鑑別を行う構成と、２）サーバにて真偽の鑑別を行う構成の両方を具えた携帯電話機において、利用者の選択により、上記１）或いは２）のいずれか一つの鑑別処理を行う場合について説明する。
【００８２】
尚、この場合、上記図６に示した構成において、ＣＰＵ（主制御部）１０１ｂの処理制御プログラムを変更すれば良いので、ここでは構成図は省略する。
【００８３】
即ち、ＣＰＵ（主制御部）１０１ｂは、記憶部１０４ｂ等に記憶されている紙幣真偽鑑別処理の制御プログラム等を読み出し、紙幣真偽鑑別処理に係わる処理動作を制御する。具体的には、利用者の操作に基づき、該利用者に対して紙幣Ａの真偽を鑑別する方法を表示部１０２ｂ或いは通話部１０６ｂに具わるスピーカ等を用いて表示や音声にて通知する処理を行う。また、利用者の鑑別モード（即ち、携帯電話機で鑑別するモードと、所定のサーバにて鑑別するモード）の選択指示操作に応じて、紙幣画像入力部１０９ｂの動作を制御し、該紙幣画像入力部１０９ｂにて入力された画像データと予め用意されている基準画像データとを比較して紙幣の真偽を鑑別し、鑑別結果を利用者に表示や音声にて通知する処理を行うと共に、入力された画像データを無線通信部を用いて所定のサーバに対して送信処理し、この画像データの送信後、該サーバからの紙幣鑑別結果を受信する処理を行い、鑑別結果受信後、利用者に表示や音声にて鑑別結果を通知する処理を行う。
【００８４】
図１３は、携帯電話機若しくはサーバにて紙幣の真偽を鑑別する場合の処理の流れを示すフローチャートである。
【００８５】
図１３において、この紙幣鑑別処理では、まず、利用者の操作に基づき、該利用者に対して紙幣真偽鑑別方法が通知される。そして、この通知により利用者が鑑別方法を把握する（ステップＳ４０１）。具体的には、例えば、利用者の所定の操作（専用ボタンの押下、各種機能を選択するメニュー項目内でのカーソル選択操作など）に基づき、図１４（ａ）に示す真偽鑑別対象紙幣の種別選択画面が表示部に表示される。そして、図１４（ａ）および図１４（ｂ）画面で、利用者が真偽鑑別対象の紙幣（国、金額種別など）を選択すると、次いで、同図１４（ｃ）に示す鑑別モード［端末にて真偽を鑑別するモード（１）或いはサーバにて真偽を鑑別するモード（２）］選択画面が表示部に表示される。その後、利用者がこの画面を用いて所望の鑑別モードを選択すると、次いで、選択されたモードに応じた紙幣鑑別方法を通知する画面が表示部に表示される。これにより、利用者は真偽鑑別方法を把握する。
【００８６】
利用者が鑑別方法を把握し、鑑別モードが選択されると、携帯電話機では、選択された鑑別モードの判定が行われる（ステップＳ４０２）。
【００８７】
ここで、利用者により携帯電話機にて真偽を鑑別する処理が選択された場合（ステップＳ４０２ＮＯ）、次いで、利用者の操作に基づき、当該真偽鑑別対象の紙幣の画像データがディジタルカメラにより入力される（ステップＳ４０３）。
【００８８】
すると、携帯電話機１では、真偽鑑別処理部１１０にて入力された画像データと予め用意されている基準画像データとの比較が行われ、印刷形状が一致するか否かにより真偽の鑑別が行われる（ステップＳ４０４）。尚、この真偽鑑別中には、例えば、上述の図９に示したような紙幣真偽鑑別処理中画面が表示部に表示される。
【００８９】
その後、鑑別結果（真ｏｒ偽）が利用者に対して通知される（ステップＳ２０４）。具体的には、図１０に示す鑑別結果通知画面が表示部に表示され、これにより利用者は紙幣の真偽を確認することができる。
【００９０】
そして、この処理が終了される。
【００９１】
他方、利用者によりサーバにて真偽を鑑別する処理が選択された場合は（ステップＳ４０２ＹＥＳ）、次いで、利用者の操作に基づき、当該真偽鑑別対象の紙幣の画像データがディジタルカメラにより入力される（ステップＳ４０６）。
【００９２】
すると、携帯電話機では、入力された画像データが予め設定されている宛先情報に基づいて所定のサーバ３に送信処理される。これにより、該サーバ３にて紙幣の真偽鑑別が行われる（ステップＳ４０７）。尚、このサーバにて真偽鑑別中には、例えば、上述の図９に示したような紙幣真偽鑑別処理中画面が表示部に表示される。
【００９３】
その後、携帯電話機１ｂでは、該サーバ３から真偽鑑別結果を受信し、利用者に対して鑑別結果（真ｏｒ偽）が通知される（ステップＳ４０８）。具体的には、図１０に示す鑑別結果通知画面が表示部に表示され、これにより利用者は紙幣の真偽を確認することができる。
【００９４】
そして、この処理が終了される。
【００９５】
次に、第３の実施例として、上述した第１の実施例に示した紫外線照射手段を用いて紙幣の真偽を鑑別する構成と、上述の第２の実施例に示した入力手段を用いて紙幣の真偽を鑑別する構成の両方を具えた携帯電話機において、紫外線照射手段を用いた真偽鑑別方法と、入力手段を用いた真偽鑑別方法とのいずれかの方法により紙幣の真偽を鑑別する場合について説明する。
【００９６】
図１５は、本発明に係わる紫外線照射手段及び入力手段のいずれかを用いて紙幣の真偽を鑑別可能な紙幣真偽鑑別機能付き携帯端末を携帯電話機に適用した場合の、紙幣の真偽鑑別方法の様子を示す図である。
【００９７】
図１５に示すように、この携帯電話機１ｃは、紙幣Ａの真偽を鑑別する為に、正規の紙幣に使用される特定のインクに吸収帯を有する紫外線を照射する発光体ダイオード等の紫外線照射手段１０ｃと、紙幣Ａの真偽を鑑別する為に紙幣Ａの画像を入力する入力手段（ディジタルカメラ等）１１ｃと、上記紫外線照射手段を用いて紙幣Ａの真偽を鑑別する方法或いは上記入力手段１１ｃを用いて紙幣の真偽を鑑別する方法を表示（ディスプレイ上に予め用意されている文字や絵情報等を表示）や音声（スピーカ等を介して予め用意された音声情報を発声）にて通知する紙幣真偽鑑別方法通知手段１２ｃとを具える。
【００９８】
そして、利用者は、この携帯電話機１ｃを用いて紙幣Ａの真偽を鑑別する場合、上記紙幣真偽鑑別方法通知手段１２ｃにより通知された鑑別方法に基づいて、所定の印刷箇所に上記紫外線照射手段１０ｃによる照射を行なうことにより、紙幣Ａの真偽を鑑別するか、若しくは、上記入力手段１１ｃにて紙幣の画像を入力し、携帯電話機１ｃ若しくはサーバにて真偽鑑別処理を行うことにより、当該紙幣の真偽を鑑別することができる。
【００９９】
図１６は、上記図１５に示した携帯電話機１ｃのシステム構成を示す機能ブロック図である。尚、この構成は、上述した第１の実施例に示した構成と第２の実施例で示した構成とを合わせた構成となっている。
【０１００】
この場合、ＣＰＵ（主制御部）１０１ｂの処理動作が異なる。即ち、この構成では、ＣＰＵ（主制御部）１０１ｃは、紫外線を照射することにより紙幣の真偽を鑑別するか、若しくは入力手段を用いて紙幣の画像を入力し、この入力した画像と予め用意されている真の紙幣の基準画像とを比較し、印刷形状の一致／不一致により真偽を鑑別する、のいずれかの処理を行う。
【０１０１】
具体的には、利用者の操作に基づき、該利用者に対して紙幣Ａの真偽を鑑別する方法を表示部１０２ｃ或いは通話部１０６ｃに具わるスピーカ等を用いて表示や音声にて通知する処理を行う。また利用者の操作に基づき、紫外線照射部１０８ｃの紫外線照射の動作を制御する。また紙幣画像入力部１０９ｃの動作を制御し、該紙幣画像入力部１０９ｃにて入力された画像データを、予め用意されている真の紙幣を示す基準画像データと比較し、印刷形状が一致するか否かで真偽を鑑別して鑑別結果を利用者に通知する処理を行う。或いは、予め設定されている宛先情報等に基づき所定のサーバに対して入力された画像データを送信し、該送信後、該サーバから真偽鑑別結果を受信し、利用者に鑑別結果を通知する処理等を行う。
【０１０２】
尚、その他の構成は上述した動作と同じ処理をするのでここでは説明を省略する。
【０１０３】
図１７は、上記図１５及び図１６に示した携帯電話機１ｃを用いて紙幣Ａの真偽の鑑別を行なう場合の処理の流れを示すフローチャートである。
【０１０４】
図１７において、この紙幣鑑別処理では、まず、利用者の操作に基づき、該利用者に対して紙幣真偽鑑別方法が通知される。この通知により、利用者が紙幣真偽鑑別方法を把握すると共に、鑑別モードを選択する（ステップＳ５０１）。
【０１０５】
具体的には、例えば、利用者の所定の操作（専用ボタンの押下、各種機能を選択するメニュー項目内でのカーソル選択操作など）に基づき、図１８（ａ）に示す真偽鑑別対象紙幣の種別選択画面が表示部に表示される。そして、図１８（ａ）および図１８（ｂ）画面で、利用者が真偽鑑別対象の紙幣（国、金額種別など）を選択すると、次いで、同図１８（ｃ）に示す鑑別モード［紫外線照射手段（ＬＥＤ）を用いて蛍光インクの発光の有無により紙幣の真偽を鑑別するモード（０）か、入力手段（ディジタルカメラ）を用いて当該真偽鑑別対象の紙幣の画像データを入力し、携帯電話機にて真偽を鑑別するモード（１）か、或いは入力手段により入力した画像データをサーバ３に送信し、該サーバにて真偽を鑑別するモード（２）］を選択する画面が表示部に表示される。その後、利用者がこの画面を用いて所望の鑑別モードを選択すると、次いで、選択されたモードに応じた紙幣鑑別方法を通知する画面が表示部に表示される。これにより、利用者は真偽鑑別方法を把握する。
【０１０６】
ここで、利用者が上述の鑑別モード（０）を選択し（ステップＳ５０２ＹＥＳ）、利用者が鑑別方法を把握すると、次いで、利用者の操作に基づき、当該真偽鑑別対象の紙幣に紫外線が照射される（ステップＳ５０３）。
【０１０７】
これにより、利用者が、上記ステップＳ５０１にて把握した鑑別方法及び上記ステップＳ５０３の照射による当該紙幣の発光の有無状態に従って紙幣の真偽を鑑別する（ステップＳ５０４）。そして、この処理が終了する。
【０１０８】
また、他方、上記ステップＳ５０２の判定処理において、鑑別モード（０）が選択されず（ステップＳ５０２ＮＯ）、即ち、鑑別モード（１）が選択された場合（ステップＳ５０５ＮＯ）、利用者の操作に基づき真偽を鑑別したい紙幣Ａの画像をディジタルカメラにより入力する（ステップＳ５０６）。
【０１０９】
すると、携帯電話機１ｃでは、入力された画像データと予め用意されている基準画像データとの比較が行われ、印刷形状が一致するか否かにより真偽の鑑別が行われる（ステップＳ５０７）。尚、この真偽鑑別処理中には、図９に示した真偽鑑別処理中画面が表示部に表示される。
【０１１０】
その後、鑑別結果（真ｏｒ偽）が利用者に対して通知される（ステップＳ４１０）。具体的には、図１０に示す鑑別結果通知画面が表示部に表示され、これにより利用者は紙幣の真偽を確認することができる。
【０１１１】
そして、この処理が終了される。
【０１１２】
また、他方、上述のステップＳ５０２の判定処理において、鑑別モード（０）が選択されず（ステップＳ５０２ＮＯ）、即ち、鑑別モード（２）が選択された場合（ステップＳ５０５ＹＥＳ）、利用者の操作に基づき真偽を鑑別したい紙幣Ａの画像をディジタルカメラにより入力する（ステップＳ５０９）。
【０１１３】
すると、携帯電話機１ｃでは、入力された画像データが予め設定されている宛先情報に基づいて所定のサーバ３に送信処理される。これにより、該サーバ３にて紙幣の真偽鑑別が行われる（ステップＳ５１０）。尚、このサーバにて真偽鑑別処理中には、図９に示した真偽鑑別処理中画面が表示部に表示される。
【０１１４】
その後、携帯電話機１ｄでは、該サーバ３から真偽鑑別結果を受信し、利用者に対して鑑別結果（真ｏｒ偽）が通知される（ステップＳ５１１）。具体的には、図１０に示す鑑別結果通知画面が表示部に表示され、これにより利用者は紙幣の真偽を確認することができる。
【０１１５】
そして、この処理が終了される。
【０１１６】
最後に、第４の実施例として、上述した第１の実施例に示した紫外線照射手段を用いて紙幣の真偽を鑑別する構成と、上述の第２の実施例に示した入力手段を用いて紙幣の真偽を鑑別する構成の両方を具えた携帯電話機において、紫外線照射手段の照射を行った状態の紙幣の画像を入力手段により入力し、この入力された画像データと、予め用意されている真紙幣の基準画像データとを比較して紙幣の真偽鑑別を行う場合について説明する。
【０１１７】
尚、この場合の構成は、上記図１６に示した構成において、処理制御プログラムを変更することで対応できるので、ここでは、構成図は省略する。
【０１１８】
即ち、ＣＰＵ（主制御部）１０１ｂでは、利用者の操作に基づき、紫外線を照射した状態の紙幣の画像を入力手段を用いて入力し、この入力した画像と予め用意されている真の紙幣の基準画像とを比較し、印刷形状の一致／不一致及び印鑑印刷部分の発光の有無状態の両方により真偽を鑑別する処理を行う。
【０１１９】
具体的には、利用者の操作に基づき、該利用者に対して紙幣Ａの真偽を鑑別する方法を表示部１０２ｃ或いは通話部１０６ｃに具わるスピーカ等を用いて表示や音声にて通知する処理を行う。また利用者の操作に基づき、紫外線照射部１０８ｃの紫外線照射の動作を制御すると共に紙幣画像入力部１０９ｃの動作を制御し、紫外線が照射された状態の紙幣の画像を紙幣画像入力部１０９ｃにより入力する処理を行う。そして、この入力された画像データと予め用意されている真の紙幣を示す基準画像データとを比較して印刷形状が一致するか否かの判定結果及び印鑑印刷部分の発光の有無状態の両方の判定結果を基に真偽を鑑別して鑑別結果を利用者に通知する処理を行う。或いは、予め設定されている宛先情報等に基づき所定のサーバに対して入力された画像データを送信し、該送信後、該サーバから真偽鑑別結果を受信し、利用者に鑑別結果を通知する処理等を行う。
【０１２０】
図１９は、第４実施例の処理の流れを示すフローチャートである。
【０１２１】
図１９において、この紙幣鑑別処理では、まず、利用者の操作に基づき、該利用者に対して紙幣真偽鑑別方法が通知される。この通知により、利用者が紙幣真偽鑑別方法を把握すると共に、鑑別モードを選択する（ステップＳ６０１）。具体的には、例えば、利用者の所定の操作（専用ボタンの押下、各種機能を選択するメニュー項目内でのカーソル選択操作など）に基づき、図２０（ａ）に示す真偽鑑別対象紙幣の種別選択画面が表示部に表示される。そして、図２０（ａ）および図２０（ｂ）画面で、利用者が真偽鑑別対象の紙幣（国、金額種別など）を選択すると、次いで、同図２０（ｃ）に示す鑑別モード［紫外線照射手段（ＬＥＤ）及び入力手段（ディジタルカメラ）を用いて携帯電話機で紙幣の真偽を鑑別するモード（Ａ）か、紫外線照射手段（ＬＥＤ）及び入力手段（ディジタルカメラ）を用いてサーバにて紙幣の真偽を鑑別するモード（Ｂ）］を選択する画面が表示部に表示される。その後、利用者がこの画面を用いて所望の鑑別モードを選択すると、次いで、選択されたモードに応じた紙幣鑑別方法を通知する画面が表示部に表示される。これにより、利用者は真偽鑑別方法を把握する。
【０１２２】
ここで、利用者が上述の鑑別モード（Ａ）を選択し（ステップＳ６０２ＮＯ）、利用者が鑑別方法を把握すると、次いで、利用者の操作に基づき、当該真偽鑑別対象の紙幣に紫外線が照射される（ステップＳ６０３）。
【０１２３】
その後、利用者の操作に基づき、紫外線を照射した状態の紙幣の画像がディジタルカメラにて入力される（ステップＳ６０４）。
【０１２４】
これにより、携帯電話機では、入力された画像データと予め用意されている真紙幣の基準画像データとの比較が行われ、紙幣の真偽が鑑別される（ステップＳ６０５）。即ち、真紙幣の基準画像データとして、印鑑印刷部分の発光した状態の画像を含み、印刷形状が真札の画像データが予め用意されており、この基準画像データと入力された画像データとを比較し、印鑑印刷部分が発光した状態と印刷形状が一致した状態の両方が検出された場合に当該紙幣が真であると判定する。
【０１２５】
その後、鑑別結果が利用者に通知される（ステップＳ６０６）。そして、この処理が終了する。
【０１２６】
また、他方、上記ステップＳ６０２の判定処理において、鑑別モード（Ａ）が選択されず、鑑別モード（Ｂ）が選択された場合（ステップＳ６０２ＹＥＳ）、利用者の操作に基づき当該真偽鑑別対象の紙幣に紫外線が照射される（ステップＳ６０９）。
【０１２７】
その後、利用者の操作に基づき、紫外線を照射した紙幣の画像がディジタルカメラにて入力される（ステップＳ６０８）。
【０１２８】
これにより、携帯電話機では、入力された画像データを予め設定されている宛先情報に基づき所定のサーバに送信する。サーバでは、受信した画像データと予め用意されている真紙幣基準画像データとの比較を行い、紙幣の真偽が鑑別される（ステップＳ６０９）。即ち、サーバでは、真紙幣の基準画像データとして、印鑑印刷部分の発光した状態の画像を含み、印刷形状が真札の画像データが予め用意されており、この基準画像データと携帯電話機から送信されてきた画像データとを比較し、印鑑印刷部分が発光した状態と印刷形状が一致した状態の両方が検出された場合に当該紙幣が真であると判定する。尚、このサーバにて真偽鑑別処理中には、表示部に図９に示した真偽鑑別処理中画面が表示される。
【０１２９】
その後、携帯電話機はサーバから鑑別結果を受信し、利用者に対して鑑別結果を通知する（ステップＳ６１０）（図１０参照）。そして、この処理が終了する。
【０１３０】
このような構成によると、紫外線照射手段と入力手段の両方を用いて真偽鑑別する構成では、両方の鑑別結果が真である場合に真札と判定するようにしたため、より真偽の信頼性が高くなる。
【０１３１】
尚、その他、変形例として、第１の実施例の構成に、第２の実施例に示した携帯電話機にて真偽を鑑別する構成と、サーバにて真偽を鑑別する構成のいずれか片方の構成を追加しても良いものとする。これにより、紫外線照射手段を用いた真偽鑑別方法と、入力手段を用いて端末にて真偽を鑑別する方法のいずれかを行える携帯電話機と、紫外線照射手段を用いた真偽鑑別方法と、入力手段を用いてサーバにて真偽を鑑別する方法のいずれかを行える携帯電話機を提供することができる。
【０１３２】
また、上記実施例で示した紫外線照射手段に代えて、例えば、赤外線や、ホログラム等を検出する光学手段を用いても良い。
【０１３３】
即ち、鑑別対象紙葉類に対応する正規の紙葉類に使用される特定のインクに吸収帯を有する波長の赤外線を照射する赤外線照射手段を具え、この赤外線照射手段により鑑別対象紙葉類の特定の領域に赤外線を照射し、該赤外線を照射した当該鑑別対象紙葉類の特定の領域の色の変化に基づき該鑑別対象紙葉類の鑑別を行う。
【０１３４】
また、鑑別対象紙葉類に対応する正規の紙葉類に使用される特定のホログラム（立体像）を検出するホログラム検出手段を具え、このホログラム検出手段により鑑別対象紙葉類の特定の領域にレーザ光（参照光）を照らし、当該鑑別対象紙葉類の特定ホログラムの検出状態に基づき該鑑別対象紙葉類の鑑別を行う。
【０１３５】
更に、上記実施例で示した紫外線照射手段に代えて、例えば、金属センサや磁気センサ等の金属検知手段を用いても良い。
【０１３６】
即ち、鑑別対象紙葉類に対応する正規の紙葉類に埋設される金属線等の有無を検出するための金属検知手段を具え、この金属検知手段により鑑別対象紙葉類の特定の領域をチェックし、該チェックの結果、当該鑑別対象紙葉類の特定の領域からの金属線の検知結果に基づき該鑑別対象紙葉類の鑑別を行う。
【０１３７】
また、上記実施例では、紫外線照射手段を用いて鑑別対象紙幣の真偽を鑑別する場合には、利用者が発光の有無に応じて独自に判断する構成を示したが、これに限らず、上記携帯通信端末側若しくは上記サーバ側で判断するようにしても良い。
【０１３８】
即ち、利用者が紫外線照射手段により当該鑑別対象紙幣の特定の領域に紫外線を照射した後の反射光等を入力して当該鑑別対象紙葉類の特定の領域の色の変化を識別する状態識別手段と、この状態識別手段の識別結果に基づき該鑑別対象紙葉類の鑑別を行う鑑別手段を携帯通信端末若しくはサーバ側に具えて実現する。
【０１３９】
また、これと同じようにして、上述の光学手段を用いて利用者が独自に鑑別対象紙幣の真偽を鑑別する以外に、携帯通信端末若しくはサーバ側で判断するようにしても良い。
【０１４０】
即ち、利用者が赤外線照射手段により当該鑑別紙幣の特定の領域に赤外線を照射した後の反射光等を入力して当該鑑別対象紙葉類の特定の領域の色の変化を識別する状態識別手段と、この状態識別手段の識別結果に基づき該鑑別対象紙葉類の鑑別を行う鑑別手段を携帯通信端末若しくはサーバ側に具えて実現する。
【０１４１】
即ち、利用者がホログラム検知手段により当該鑑別紙幣の特定の領域にレーザ光（参照光）を照射し、該レーザ光（参照光）を照射した後の反射光等を入力して当該鑑別対象紙葉類の特定の領域のホログラムを識別する状態識別手段と、この状態識別手段の識別結果に基づき該鑑別対象紙葉類の鑑別を行う鑑別手段を携帯通信端末若しくはサーバ側に具えて実現する。
【０１４２】
また、上記実施例では、鑑別対象紙葉類として、紙幣を例にして説明したが、本発明はこれ以外にも、例えば、チケット、商品券、小切手、カード、証券、債権等の紙葉類についても適用できるものとする。尚、この場合には、例えば、上述の図８などに示した紙幣の種類を選択する場合において、チケット、商品券、小切手、カード、証券、債権のそれぞれの種別を選択する構成にする。
【０１４３】
【発明の効果】
以上説明したように、本発明の携帯端末によれば、専門的な鑑別方法を知らない一般の人誰でもが、国内海外、場所、時間を問わず容易に多種多様な紙葉類等の鑑別を行うことができる。これにより、偽造紙幣の流通を抑制し、紙幣を利用する者の被害を防ぐことができる。尚、紫外線照射手段を用いて真偽を鑑別する構成では、利用者は暗闇でも容易に紙幣の真偽鑑別を行うことができる。
【図面の簡単な説明】
【図１】本発明を携帯電話機に適用した場合の紙幣鑑別の様子を示す概念図。
【図２】図１に示した携帯電話機のシステム構成を示す機能ブロック図。
【図３】図１及び図２に示した携帯電話機を用いて紙幣の真偽の鑑別を行う場合の処理の流れを示すフローチャート。
【図４】紙幣鑑別処理画面の一表示例を示す図。
【図５】本発明を携帯電話機に適用した場合の紙幣鑑別の様子を示す概念図。
【図６】図５に示した携帯電話機のシステム構成を示すブロック図。
【図７】図５及び図６に示した携帯電話機を用いて紙幣の真偽の鑑別を行う場合の処理の流れを示すフローチャート。
【図８】紙幣鑑別処理画面の一表示例を示す図。
【図９】紙幣鑑別処理画面の一表示例を示す図。
【図１０】紙幣鑑別処理画面の一表示例を示す図。
【図１１】携帯電話機を用いて紙幣の真偽の鑑別を行う場合の処理の流れを示すフローチャート。
【図１２】紙幣鑑別処理画面の一表示例を示す図。
【図１３】携帯電話機を用いて紙幣の真偽の鑑別を行う場合の処理の流れを示すフローチャート。
【図１４】紙幣鑑別処理画面の一表示例を示す図。
【図１５】本発明を携帯電話機に適用した場合の紙幣鑑別の様子を示す概念図。
【図１６】図５に示した携帯電話機のシステム構成を示すブロック図。
【図１７】携帯電話機を用いて紙幣の真偽の鑑別を行う場合の処理の流れを示すフローチャート。
【図１８】紙幣鑑別処理画面の一表示例を示す図。
【図１９】携帯電話機を用いて紙幣の真偽の鑑別を行う場合の処理の流れを示すフローチャート。
【図２０】紙幣鑑別処理画面の一表示例を示す図。
【符号の説明】
１ａ、１ｂ、１ｃ　携帯電話機
１０ａ、１０ｃ　紫外線照射手段（ＬＥＤ）
１０ｂ、１１ｃ　入力手段
１１ａ、１１ｂ、１２ｃ　紙幣真偽鑑別方法通知手段
Ａ　紙幣
１０１ａ、１０１ｂ、１０１ｃ　主制御部
１０２ａ、１０２ｂ、１０２ｃ　表示部
１０３ａ、１０３ｂ、１０３ｃ　操作部
１０４ａ、１０４ｂ、１０４ｃ　記憶部
１０５ａ、１０５ｂ、１０５ｃ　無線通信部
１０６ａ、１０６ｂ、１０６ｃ　通話部
１０７ａ、１０７ｂ、１０７ｃ　電源部
１０８ａ、１０８ｃ　紫外線照射部（ＬＥＤ）
１０９ａ、１０９ｃ　紙幣画像入力部
２　通信網
３　サーバ
【図１】
2004054758.tif 000003
【図２】
2004054758.tif 000004
【図３】
2004054758.tif 000005
【図４】
2004054758.tif 000006
【図５】
2004054758.tif 000007
【図６】
2004054758.tif 000008
【図７】
2004054758.tif 000009
【図８】
2004054758.tif 000010
【図９】
2004054758.tif 000011
【図１０】
2004054758.tif 000012
【図１１】
2004054758.tif 000013
【図１２】
2004054758.tif 000014
【図１３】
2004054758.tif 000015
【図１４】
2004054758.tif 000016
【図１５】
2004054758.tif 000017
【図１６】
2004054758.tif 000018
【図１７】
2004054758.tif 000019
【図１８】
2004054758.tif 000020
【図１９】
2004054758.tif 000021
【図２０】
2004054758.tif 000022